【手続補正書】
【提出日】平成26年7月9日(2014.7.9)
【手続補正１】
【補正対象書類名】特許請求の範囲
【補正対象項目名】全文
【補正方法】変更
【補正の内容】
【特許請求の範囲】
【請求項１】
移動通信システムにおける移動端末機（ＭＳ）のアップリンク電力を制御する方法であって、
経路損失、アップリンク雑音及び干渉レベル、ターゲット信号対干渉雑音比（ＳＩＮＲ）、及びオフセットに基づいてアップリンク電力を決定するステップを有し、
初期オフセット値は、初期レンジングプロセスが完了するまでのランプアップ(ramp-up)の回数と、ランプアップに対する電力ステップサイズ(power step size)と、基地局（ＢＳ）から受信された電力調整値とに基づいて決定されることを特徴とする移動端末機のアップリンク電力制御方法。
【請求項２】
前記初期オフセット値は、次の数式で表現されることを特徴とする請求項１に記載の移動端末機のアップリンク電力制御方法。
数式（１）
ＯｆｆｓｅｔＤａｔａ＝ＰＴＸ＿ＩＲ＿Ｆｉｎａｌ−（Ｌ＋ＳＩＮＲＴａｒｇｅｔ＋ＮＩ）−１０ｌｏｇ１０（ＮｕｍＳｕｂｃａｒｒｉｅｒＲＮＧ）
ＯｆｆｓｅｔＣｏｎｔｒｏｌ＝ＰＴＸ＿ＩＲ＿Ｆｉｎａｌ−（Ｌ＋ＳＩＮＲＴａｒｇｅｔ＋ＮＩ）−１０ｌｏｇ１０（ＮｕｍＳｕｂｃａｒｒｉｅｒＲＮＧ）
ここで、ＯｆｆｓｅｔＤａｔａは、前記アップリンク電力がデータ信号に適用される場合、前記データ信号に対する初期オフセット値を示し、ＯｆｆｓｅｔＣｏｎｔｒｏｌは、前記アップリンク電力が制御信号に適用される場合、前記制御信号に対する初期オフセット値を示し、Ｌは、前記経路損失を示し、ＳＩＮＲＴａｒｇｅｔは、前記ターゲットＳＩＮＲを示し、ＮＩは、前記アップリンク雑音及び干渉レベルを示し、ＮｕｍＳｕｂｃａｒｒｉｅｒＲＮＧは、初期レンジングに使用される帯域幅に含まれるサブキャリアの総数を示し、ＰＴＸ＿ＩＲ＿Ｆｉｎａｌは、次の数式で表現される。
数式（２）
ＰＴＸ＿ＩＲ＿Ｆｉｎａｌ＝ＰＴＸ＿ＩＲ＿ＭＩＮ＋Ｎ×Ｐ＿ＩｎｉｔｉａｌＳｔｅｐ＋ΣＤｅｌｔａ＿ＩｎｉｔｉａｌＢＳ（ｍ）
ここで、ＰＴＸ＿ＩＲ＿ＭＩＮは、前記移動端末機が初期レンジングコードを前記基地局に送信する際に使用される電力を示し、Ｎは、前記ランプアップの回数を示し、Ｐ＿ＩｎｉｔｉａｌＳｔｅｐは、電力ステップサイズを示し、Ｄｅｌｔａ＿ＩｎｉｔｉａｌＢＳは、前記電力調整値を示し、Ｄｅｌｔａ＿ＩｎｉｔｉａｌＢＳ（ｍ）は、前記ＭＳで受信されるｍ番目の電力調整値を示す。
【請求項３】
前記ターゲットＳＩＮＲは、非同期レンジングチャネルのターゲットＳＩＮＲを有することを特徴とする請求項１に記載の移動端末機のアップリンク電力制御方法。
【請求項４】
前記オフセットは、ダウンリンク経路損失とアップリンク経路損失間の差を補償する値を有することを特徴とする請求項１に記載の移動端末機のアップリンク電力制御方法。
【請求項５】
前記初期オフセット値を含むレンジング要求（ＲＮＧ−ＲＥＱ）メッセージを前記基地局に送信するステップをさらに有することを特徴とする請求項１に記載の移動端末機のアップリンク電力制御方法。
【請求項６】
前記アップリンク雑音及び干渉レベル、及び前記オフセットは、前記基地局から受信されることを特徴とする請求項１に記載の移動端末機のアップリンク電力制御方法。
【請求項７】
前記電力調整値は、レンジング肯定認知（ＲＮＧ−ＡＣＫ）メッセージを通して受信されることを特徴とする請求項１に記載の移動端末機のアップリンク電力制御方法。
【請求項８】
移動通信システムにおける基地局（ＢＳ）が移動端末機（ＭＳ）のアップリンク電力制御をサポートする方法であって、
電力調整値を前記移動端末機に送信するステップと、
前記移動端末機から初期オフセット値を受信するステップとを有し、
前記初期オフセット値は、初期レンジングプロセスが完了するまでのランプアップ(ramp-up)の回数と、ランプアップに対する電力ステップサイズ(power step size)と、前記電力調整値とに基づいて決定されることを特徴とする基地局が移動端末機のアップリンク電力制御をサポートする方法。
【請求項９】
アップリンク雑音及び干渉レベル、ターゲット信号対干渉雑音比（ＳＩＮＲ）、及びオフセットを前記移動端末機に送信するステップをさらに有し、
前記アップリンク電力は、経路損失、前記アップリンク雑音及び干渉レベル、前記ターゲットＳＩＮＲ、及び前記オフセットに基づいて決定され、
前記経路損失は、前記移動端末機により測定されることを特徴とする請求項８に記載の基地局が移動端末機のアップリンク電力制御をサポートする方法。
【請求項１０】
前記初期オフセット値は、次の数式で表現されることを特徴とする請求項９に記載の基地局が移動端末機のアップリンク電力制御をサポートする方法。
数式（３）
ＯｆｆｓｅｔＤａｔａ＝ＰＴＸ＿ＩＲ＿Ｆｉｎａｌ−（Ｌ＋ＳＩＮＲＴａｒｇｅｔ＋ＮＩ）−１０ｌｏｇ１０（ＮｕｍＳｕｂｃａｒｒｉｅｒＲＮＧ）
ＯｆｆｓｅｔＣｏｎｔｒｏｌ＝ＰＴＸ＿ＩＲ＿Ｆｉｎａｌ−（Ｌ＋ＳＩＮＲＴａｒｇｅｔ＋ＮＩ）−１０ｌｏｇ１０（ＮｕｍＳｕｂｃａｒｒｉｅｒＲＮＧ）
ここで、ＯｆｆｓｅｔＤａｔａは、前記アップリンク電力がデータ信号に適用される場合、前記データ信号に対する初期オフセット値を示し、ＯｆｆｓｅｔＣｏｎｔｒｏｌは、前記アップリンク電力が制御信号に適用される場合、前記制御信号に対する初期オフセット値を示し、Ｌは、前記経路損失を示し、ＳＩＮＲＴａｒｇｅｔは、前記ターゲットＳＩＮＲを示し、ＮＩは、前記アップリンク雑音及び干渉レベルを示し、ＮｕｍＳｕｂｃａｒｒｉｅｒＲＮＧは、初期レンジングに使用される帯域幅に含まれるサブキャリアの総数を示し、ＰＴＸ＿ＩＲ＿Ｆｉｎａｌは、次の数式で表現される。
数式（４）
ＰＴＸ＿ＩＲ＿Ｆｉｎａｌ＝ＰＴＸ＿ＩＲ＿ＭＩＮ＋Ｎ×Ｐ＿ＩｎｉｔｉａｌＳｔｅｐ＋ΣＤｅｌｔａ＿ＩｎｉｔｉａｌＢＳ（ｍ）
ここで、ＰＴＸ＿ＩＲ＿ＭＩＮは、前記移動端末機が初期レンジングコードを前記基地局に送信する際に使用される電力を示し、Ｎは、前記ランプアップ(ramp-up)の回数を示し、Ｐ＿ＩｎｉｔｉａｌＳｔｅｐは、電力ステップサイズを示し、Ｄｅｌｔａ＿ＩｎｉｔｉａｌＢＳは、前記電力調整値を示し、Ｄｅｌｔａ＿ＩｎｉｔｉａｌＢＳ（ｍ）は、前記ＭＳで受信されるｍ番目の電力調整値を示す。
【請求項１１】
前記ターゲットＳＩＮＲは、非同期レンジングチャネルのターゲットＳＩＮＲを有することを特徴とする請求項９に記載の基地局が移動端末機のアップリンク電力制御をサポートする方法。
【請求項１２】
前記オフセットは、ダウンリンク経路損失とアップリンク経路損失間の差を補償する値を有することを特徴とする請求項９に記載の基地局が移動端末機のアップリンク電力制御をサポートする方法。
【請求項１３】
前記電力調整値は、レンジング肯定認知（ＲＮＧ−ＡＣＫ）メッセージを通して送信されることを特徴とする請求項８に記載の基地局が移動端末機のアップリンク電力制御をサポートする方法。
【請求項１４】
前記初期オフセット値は、レンジング要求（ＲＮＧ−ＲＥＱ）メッセージを通して受信されることを特徴とする請求項８に記載の基地局が移動端末機のアップリンク電力制御をサポートする方法。
【請求項１５】
移動通信システムにおける移動端末機（ＭＳ）であって、
経路損失、アップリンク雑音及び干渉レベル、ターゲット信号対干渉雑音比（ＳＩＮＲ）、及びオフセットに基づいてアップリンク電力を決定する制御器を有し、
初期オフセット値は、初期レンジングプロセスが完了するまでのランプアップ(ramp-up)の回数と、ランプアップに対する電力ステップサイズ(power step size)と、基地局（ＢＳ）から受信された電力調整値とに基づいて決定されることを特徴とする移動端末機。
【請求項１６】
前記初期オフセット値は、次の数式で表現されることを特徴とする請求項１５に記載の移動端末機。
数式（５）
ＯｆｆｓｅｔＤａｔａ＝ＰＴＸ＿ＩＲ＿Ｆｉｎａｌ−（Ｌ＋ＳＩＮＲＴａｒｇｅｔ＋ＮＩ）−１０ｌｏｇ１０（ＮｕｍＳｕｂｃａｒｒｉｅｒＲＮＧ）
ＯｆｆｓｅｔＣｏｎｔｒｏｌ＝ＰＴＸ＿ＩＲ＿Ｆｉｎａｌ−（Ｌ＋ＳＩＮＲＴａｒｇｅｔ＋ＮＩ）−１０ｌｏｇ１０（ＮｕｍＳｕｂｃａｒｒｉｅｒＲＮＧ）
ここで、ＯｆｆｓｅｔＤａｔａは、前記アップリンク電力がデータ信号に適用される場合、前記データ信号に対する初期オフセット値を示し、ＯｆｆｓｅｔＣｏｎｔｒｏｌは、前記アップリンク電力が制御信号に適用される場合、前記制御信号に対する初期オフセット値を示し、Ｌは、前記経路損失を示し、ＳＩＮＲＴａｒｇｅｔは、前記ターゲットＳＩＮＲを示し、ＮＩは、前記アップリンク雑音及び干渉レベルを示し、ＮｕｍＳｕｂｃａｒｒｉｅｒＲＮＧは、初期レンジングに使用される帯域幅に含まれるサブキャリアの総数を示し、ＰＴＸ＿ＩＲ＿Ｆｉｎａｌは、次の数式で表現される。
数式（６）
ＰＴＸ＿ＩＲ＿Ｆｉｎａｌ＝ＰＴＸ＿ＩＲ＿ＭＩＮ＋Ｎ×Ｐ＿ＩｎｉｔｉａｌＳｔｅｐ＋ΣＤｅｌｔａ＿ＩｎｉｔｉａｌＢＳ（ｍ）
ここで、ＰＴＸ＿ＩＲ＿ＭＩＮは、前記移動端末機が初期レンジングコードを前記基地局に送信する際に使用される電力を示し、Ｎは、ランプアップの回数を示し、Ｐ＿ＩｎｉｔｉａｌＳｔｅｐは、電力ステップサイズを示し、Ｄｅｌｔａ＿ＩｎｉｔｉａｌＢＳは、前記電力調整値を示し、Ｄｅｌｔａ＿ＩｎｉｔｉａｌＢＳ（ｍ）は、前記ＭＳで受信されるｍ番目の電力調整値を示す。
【請求項１７】
前記ターゲットＳＩＮＲは、非同期レンジングチャネルのターゲットＳＩＮＲを有することを特徴とする請求項１５に記載の移動端末機。
【請求項１８】
前記オフセットは、ダウンリンク経路損失とアップリンク経路損失間の差を補償する値を有することを特徴とする請求項１５に記載の移動端末機。
【請求項１９】
前記初期オフセット値を含むレンジング要求（ＲＮＧ−ＲＥＱ）メッセージを前記基地局に送信する送信器をさらに有することを特徴とする請求項１５に記載の移動端末機。
【請求項２０】
前記アップリンク雑音及び干渉レベル、及び前記オフセットは、前記基地局から受信されることを特徴とする請求項１５に記載の移動端末機。
【請求項２１】
前記電力調整値は、レンジング肯定認知（ＲＮＧ−ＡＣＫ）メッセージを通して受信されることを特徴とする請求項１５に記載の移動端末機。
【請求項２２】
移動通信システムにおける基地局（ＢＳ）であって、
電力調整値を移動端末機（ＭＳ）に送信する送信器と、
前記移動端末機から初期オフセット値を受信する受信器とを有し、
前記初期オフセット値は、初期レンジングプロセスが完了するまでのランプアップ(ramp-up)の回数と、ランプアップに対する電力ステップサイズ(power step size)と、前記電力調整値とに基づいて決定されることを特徴とする基地局。
【請求項２３】
前記送信器は、アップリンク雑音及び干渉レベル、ターゲット信号対干渉雑音比（ＳＩＮＲ）、及びオフセットを前記移動端末機に送信し、
前記アップリンク電力は、経路損失、前記アップリンク雑音及び干渉レベル、前記ターゲットＳＩＮＲ、及び前記オフセットに基づいて決定され、
前記経路損失は、前記移動端末機により測定されることを特徴とする請求項２２に記載の基地局。
【請求項２４】
前記初期オフセット値は、次の数式で表現されることを特徴とする請求項２３に記載の基地局。
数式（７）
ＯｆｆｓｅｔＤａｔａ＝ＰＴＸ＿ＩＲ＿Ｆｉｎａｌ−（Ｌ＋ＳＩＮＲＴａｒｇｅｔ＋ＮＩ）−１０ｌｏｇ１０（ＮｕｍＳｕｂｃａｒｒｉｅｒＲＮＧ）
ＯｆｆｓｅｔＣｏｎｔｒｏｌ＝ＰＴＸ＿ＩＲ＿Ｆｉｎａｌ−（Ｌ＋ＳＩＮＲＴａｒｇｅｔ＋ＮＩ）−１０ｌｏｇ１０（ＮｕｍＳｕｂｃａｒｒｉｅｒＲＮＧ）
ここで、ＯｆｆｓｅｔＤａｔａは、前記アップリンク電力がデータ信号に適用される場合、前記データ信号に対する初期オフセット値を示し、ＯｆｆｓｅｔＣｏｎｔｒｏｌは、前記アップリンク電力が制御信号に適用される場合、前記制御信号に対する初期オフセット値を示し、Ｌは、前記経路損失を示し、ＳＩＮＲＴａｒｇｅｔは、前記ターゲットＳＩＮＲを示し、ＮＩは、前記アップリンク雑音及び干渉レベルを示し、ＮｕｍＳｕｂｃａｒｒｉｅｒＲＮＧは、初期レンジングに使用される帯域幅に含まれるサブキャリアの総数を示し、ＰＴＸ＿ＩＲ＿Ｆｉｎａｌは、次の数式で表現される。
数式（８）
ＰＴＸ＿ＩＲ＿Ｆｉｎａｌ＝ＰＴＸ＿ＩＲ＿ＭＩＮ＋Ｎ×Ｐ＿ＩｎｉｔｉａｌＳｔｅｐ＋ΣＤｅｌｔａ＿ＩｎｉｔｉａｌＢＳ（ｍ）
ここで、ＰＴＸ＿ＩＲ＿ＭＩＮは、前記移動端末機が初期レンジングコードを前記基地局に送信する際に使用される電力を示し、Ｎは、前記ランプアップ(ramp-up)の回数を示し、Ｐ＿ＩｎｉｔｉａｌＳｔｅｐは、電力ステップサイズを示し、Ｄｅｌｔａ＿ＩｎｉｔｉａｌＢＳは、前記電力調整値を示し、Ｄｅｌｔａ＿ＩｎｉｔｉａｌＢＳ（ｍ）は、前記ＭＳで受信されるｍ番目の電力調整値を示す。
【請求項２５】
前記ターゲットＳＩＮＲは、非同期レンジングチャネルのターゲットＳＩＮＲを有することを特徴とする請求項２３に記載の基地局。
【請求項２６】
前記オフセットは、ダウンリンク経路損失とアップリンク経路損失間の差を補償する値を有することを特徴とする請求項２３に記載の基地局。
【請求項２７】
前記電力調整値は、レンジング肯定認知（ＲＮＧ−ＡＣＫ）メッセージを通して送信されることを特徴とする請求項２２に記載の基地局。
【請求項２８】
前記初期オフセット値は、レンジング要求（ＲＮＧ−ＲＥＱ）メッセージを通して受信されることを特徴とする請求項２２に記載の基地局。